(57)【要約】【課題】  装着時に首部に安定的に保持されるイヤホンネックホルダを提供する。【解決手段】  湾曲状に形成されるとともに、径方向に弾発力を有し、装着時には首部（Ｎ）を挟み付けるホルダ本体（２）の一端部または両端部に、孔部（２ａ）および一端が孔部（２ａ）に臨む切れ込み（２ｂ）が形成され、イヤホン（１０）のスピーカ部（１４）を、孔部（２ａ）に当てて押圧することにより、孔部（２ａ）を押し拡げ、スピーカ部（１４）の孔部（２ａ）への通過を可能にする。【選択図】  図１
2014033329.tif 000002
【特許請求の範囲】
【請求項１】
湾曲状に形成されるとともに、径方向に弾発力を有し、装着時には首部を挟み付けるホルダ本体の一端部または両端部に、孔部および一端が前記孔部に臨む切れ込みが形成され、イヤホンのスピーカ部を、前記孔部に当てて押圧することにより、前記孔部を押し拡げ、前記スピーカ部の前記孔部への通過を可能にすることを特徴とするイヤホンネックホルダ。
【請求項２】
前記ホルダ本体の両端部の間に、顎バンドが着脱可能に介装されたことを特徴とする請求項１に記載のイヤホンネックホルダ。
【請求項３】
前記ホルダ本体の両端部の間に、吊下げ紐が取り付けられたことを特徴とする請求項１に記載のイヤホンネックホルダ。
【請求項４】
前記ホルダ本体は、金属製または樹脂製の弾性体を有することを特徴とする請求項１から請求項３のいずれか１項に記載のイヤホンネックホルダ。
【発明の詳細な説明】
【技術分野】
【０００１】
本発明は、携帯音楽プレーヤや携帯電話等に使用されるイヤホンを首の周りに保持するためのイヤホンネックホルダに関する。
【背景技術】
【０００２】
従来、携帯音楽プレーヤや携帯電話等のイヤホンを使用する際、コードが身体の動きによりずれたり、絡まったりしやすく、イヤホンのスピーカ部を耳から外したときには、イヤホンを収納するか、そのままコードを首にかけていた。
【０００３】
そこで、イヤホンを安定的に保持するため、帯状のテープ素材を伸縮性のあるゴム状の素材で作成し、そのテープの両端の一部にイヤホンのスピーカ部を固定できる孔を開け、この孔にスピーカ部を入れ、固定収納するイヤホンネックホルダが提案されている（例えば、特許文献１参照）。
【先行技術文献】
【特許文献】
【０００４】
【特許文献１】特開２００６−２２２７１２号公報
【発明の概要】
【発明が解決しようとする課題】
【０００５】
しかしながら、従来のイヤホンネックホルダは、イヤホンのスピーカ部を耳から外したときにスピーカ部を身体に保持できるものの、首部にぶら下げただけなので、身体の動きにより簡単にずれたりして、イヤホンが所望位置に定まらず、安定的に保持できないという事情がある。
【０００６】
本発明は、上記のような事情に鑑みてなされたものであって、その目的とするところは、装着時に首部に安定的に保持されるイヤホンネックホルダを提供することにある。
【０００７】
本発明の上記ならびにその他の目的と新規な特徴は、本明細書の記述および添付図面から明らかになるであろう。
【課題を解決するための手段】
【０００８】
上記目的を達成すべく、本発明は、湾曲状に形成されるとともに、径方向に弾発力を有し、装着時には首部（Ｎ）を挟み付けるホルダ本体（２）の一端部または両端部に、孔部（２ａ）および一端が前記孔部（２ａ）に臨む切れ込み（２ｂ）が形成され、イヤホン（１０）のスピーカ部（１４）を、前記孔部（２ａ）に当てて押圧することにより、前記孔部（２ａ）を押し拡げ、前記スピーカ部（１４）の前記孔部（２ａ）への通過を可能にすることを特徴とする。
【０００９】
これにより、ホルダ本体（２）が首部（Ｎ）を適度な圧力で挟み付け、安定的に保持される。また、イヤホン（１０）のスピーカ部（１４）がイヤホンネックホルダ（１）の孔部（２ａ）に掛止され、耳から外したときの落下が回避され、イヤホン（１０）が首の周りに確実に保持される。
【００１０】
好ましい態様としては、前記ホルダ本体（２）の両端部の間に、顎バンド（２６）が着脱可能に介装される。
これにより、顎バンド（２６）が顎に掛かり、イヤホンネックホルダ（１）は、より安定的に保持される。
【００１１】
上記態様では、前記ホルダ本体（２）の両端部の間に、吊下げ紐（３６）が取り付けられる。
これにより、カード（３８）等を吊り下げ、携帯することができる。
【００１２】
上記態様では、前記ホルダ本体（２）は、金属製または樹脂製の弾性体（４）を有する。
これにより、ホルダ本体（２）は、皮材やゴム材でも形成される。
【発明の効果】
【００１３】
本発明のイヤホンネックホルダによれば、首部に掛けたとき、弾性を有するホルダ本体が首部を適度な圧力で挟み付けることで、位置ずれ等を生じることなく、安定的に保持される。
また、イヤホンのスピーカ部をイヤホンネックホルダの孔部に掛止され、耳から外したときの落下が回避され、イヤホンが首の周りに確実に保持される。
【図面の簡単な説明】
【００１４】
【図１】本発明の一実施の形態に係るイヤホンネックホルダの斜視図である。
【図２】図１に示すイヤホンネックホルダの使用形態を説明するもので、（ａ）は、イヤホン装着時の正面図、（ｂ）は、イヤホンを外したときの正面図である。
【図３】本発明の他の実施の形態に係るイヤホンネックホルダの斜視図である。
【図４】本発明の他の実施の形態に係るイヤホンネックホルダの斜視図である。
【図５】本発明の他の実施の形態に係るイヤホンネックホルダの斜視図である。
【発明を実施するための形態】
【００１５】
以下、本発明のイヤホンネックホルダに係る一実施の形態を図面に基づいて説明する。なお、図１に、本発明の一実施の形態に係るイヤホンネックホルダの斜視図を示す。また、実施の形態を説明するに当たって、同一機能を奏するものは同じ符号を付して説明する。
【００１６】
図１において、イヤホン１０は、携帯用音楽再生機器や携帯電話等に挿入されるプラグ（図示略す）と、左右の耳にそれぞれ差し込まれる一対のスピーカ部１４と、プラグに接続されたプラグコード部１１と、スピーカ部１４がそれぞれ接続された一対のスピーカコード部１３とから構成され、プラグコード部１１と一対のスピーカコード部１３とは、ジョイント部１２でそれぞれ接続されている。
【００１７】
イヤホンネックホルダ１は、皮材またはゴム材からなり、首部周りに略整合するように湾曲した帯状のホルダ本体２を有し、このホルダ本体２の左右両端部には、略楕円形状のホルダ部２１が形成されている。
【００１８】
ホルダ部２１には、イヤホン１０のスピーカ部１４が通過しない程度の大きさの孔部２ａが穿設され、この孔部２ａよりホルダ本体２の中央部に向けて切れ込み２ｂが形成されている。
【００１９】
ホルダ本体２は、その内面に、左右のホルダ部２１間に帯状に延出する金属製または樹脂製の弾性体４が接着され、径方向の弾発力が付与されている。また、弾性体４の両端には、皮製のバンド３が巻着されている。
【００２０】
イヤホンネックホルダ１を身体に装着するときは、図２に示すように、イヤホンネックホルダ１を首部Ｎに掛けると、ホルダ本体２の弾発力により首部Ｎは、適度な圧力で挟み付けられ、イヤホンネックホルダ１は、首部Ｎに安定的に保持される。
【００２１】
次に、イヤホン１０のスピーカ部１４を、イヤホンネックホルダ１の孔部２ａに当てて、押し込むと、切れ込み２ｂにより孔部２ａが拡径し、スピーカ部１４は孔部２ａを通過して、左右の耳に差し込まれる（図２（ａ）参照）。
【００２２】
また、スピーカ部１４を耳から一時的に外すときは、スピーカコード部１３が孔部２ａに掛かり、スピーカ部１４の落下が阻止される。このとき、スピーカ部１４は孔部２ａより大きいので、スピーカ部１４の通過はなく、孔部２ａに確実に掛止される（図２（ｂ）参照）。イヤホン１０を保管するときは、スピーカ部１４およびスピーカコード部１３を孔部２ａより押圧して取り出す。
【００２３】
図３に示すイヤホンネックホルダ２０は、帯状のホルダ本体２２を有する。このホルダ本体２２は、首部周りに略整合するように湾曲され、その左右両端部には、略楕円形状のホルダ部２８が形成されている。ホルダ部２８には、イヤホン１０のスピーカ部１４より小さい孔部２２ａが穿設され、この孔部２２ａよりホルダ本体２２の中央部に向けて切れ込み２２ｂが設けられている。
【００２４】
ホルダ本体２２の内面には、金属製や樹脂製の弾性体２４が接着され、径方向に付勢力が付与されている。そして、左右のホルダ部２８の近傍において、ホルダ本体２２および弾性体２４の端部に皮製のバンド２３が巻着されている。バンド２３間には、顎バンド２６が配置され、顎バンド２６の両端は、連結金具２５を介して、少なくとも一方がホック２６ａによりバンド２３に着脱可能に取り付けられている。これにより、イヤホンネックホルダ２０は、その装着時には、ホルダ本体２２の付勢力により首部Ｎを挟み付けるとともに、顎バンド２６が顎に掛かり、より安定的に保持される。
【００２５】
図４に示すイヤホンネックホルダ３０は、帯状のホルダ本体３２を有し、このホルダ本体３２は、後部の首部Ｎ周りに略整合するように湾曲され、その左右両端部には、略楕円形状のホルダ部５１が形成されている。ホルダ部５１には、イヤホン１０のスピーカ部１４より小さい孔部３２ａが穿設され、この孔部３２ａよりホルダ本体３２の中央部に向けて切れ込み３２ｂが形成されている。
【００２６】
ホルダ本体３２は、その内面に、金属製や樹脂製の弾性体３４が接着され、径方向に付勢力が付与され、左右のホルダ部５１の近傍におけるホルダ本体３２および弾性体３４の端部には、皮製のバンド３３が巻着されている。そして、バンド３３間には、吊下げ紐３６が配置され、吊下げ紐３６の両端は、連結金具３５を介してバンド３３に取り付けられている。また、吊下げ紐３６に、連結環３７を介してカード３８が取り付けられることで、カード３８は、首部Ｎに吊り下げられ、携帯を可能にしている。
【００２７】
図５に示すイヤホンネックホルダ４０は、帯状のホルダ本体４２を有する。このホルダ本体４２は、後部首周りに略整合するように湾曲され、その一端部には、略楕円形状のホルダ部６１が形成されている。ホルダ部６１には、イヤホン１０のスピーカ部１４より小さい孔部４２ａが穿設され、この孔部４２ａよりホルダ本体４２の中央部に向けて切れ込み４２ｂが形成されている。
【００２８】
ホルダ本体４２は、その内面に、ホルダ部６１より帯状に延出する金属製または樹脂製の弾性体４４が接着されることにより、径方向の弾発力が付与され、弾性体４４の両端部には、皮製のバンド４３が巻着されている。
【００２９】
従って、イヤホンネックホルダ４０は、ホルダ本体４２の弾発力により首部Ｎを適度な圧力で挟み付け、首部Ｎに安定して保持される。また、イヤホン１０の左右のスピーカ部１４は、孔部４２ａに通され、孔部４２ａに掛止されることにより、耳から外したときの不本意な位置ずれが防止される。
【００３０】
このように、本実施の形態では、イヤホンネックホルダ１、２０、３０、４０は、ホルダ本体２、２２、３２、４２が首部Ｎを適度な圧力で挟み付けるので、不本意な位置ずれを生じることなく、安定的に保持される。
また、イヤホン１０のスピーカ部１４を耳から外したときに、スピーカ部１４の落下を防げ、首部Ｎ周りに確実に保持される。
【００３１】
以上、本発明の実施の形態のイヤホンネックホルダについて詳述したが、本発明は、上記実施の形態記載のイヤホンネックホルダに限定されるものではなく、本発明の特許請求の範囲に記載されている発明の精神を逸脱しない範囲で、設計において種々の変更ができるものである。
【産業上の利用可能性】
【００３２】
本発明に係るイヤホンネックホルダは、携帯音楽プレーヤや携帯電話のイヤホンを首の周りに固定するホルダとして有用である。
【符号の説明】
【００３３】
１、２０、３０、４０  イヤホンネックホルダ
２、２２、３２、４２  ホルダ本体
２ａ、２２ａ、３２ａ、４２ａ  孔部
２ｂ、２２ｂ、３２ｂ、４２ｂ  切れ込み
３、２３、３３、４３  バンド
４、２４、３４、４４  弾性体
１０  イヤホン
１１  プラグコード部
１２  ジョイント部
１３  スピーカコード部
１４  スピーカ部
２１、２８、５１、６１  ホルダ部
２５、３５  連結金具
２６  顎バンド
２６ａ  ホック
３６  吊下げ紐
３７  連結環
３８  カード
Ｎ  首部
【図１】
2014033329.tif 000003
【図２】
2014033329.tif 000004
【図３】
2014033329.tif 000005
【図４】
2014033329.tif 000006
【図５】
2014033329.tif 000007